(57)【特許請求の範囲】
【請求項１】
一般的な消火器外観に似せて略円柱状タンク型とした消火器本体の内部中空部適所には、吸気口および送風管路を有し、送風ファンを配してなる送風室を形成すると共に、同消火器本体の上端外部には、略水平状に適宜長さ突設してなる保持グリップと、該保持グリップ基端側に軸着され、同保持グリップ間に所定の弾性的付勢力を付与した弾発体が介在されて保持グリップ側への回動作動が所定握力以上の外力によるものに制御され、且つ同回動作動はロック機構の解除時のみに規制されるようにした可動レバーとからなる操作部を組み込んだ上、該操作部における可動レバーの所定範囲以上の回動作動によってＯＮ作動するようにした起動スイッチを、送風室内の送風ファンと送風室外適所に配した電源部とを結ぶ通電回路内に配する一方、送風室の送風管路における送出側にはノズルホースを接続してなるものとしたことを特徴とする訓練用消火器。
【請求項２】
一般的な消火器外観に似せて略円柱状タンク型とした消火器本体の上端外部には、略水平状に適宜長さ突設した保持グリップと、該保持グリップ側への回動作動が可能となるようにして保持グリップ基端側に軸着された可動レバーとから操作部を形成した上、該操作部には、脱抜操作時以外には可動レバーを回動作動不能にするようにした安全ピンからなるロック機構を設けると共に、それら可動レバーと保持グリップとの間に、所定握力以上の外力を受けたときだけ可動レバーを保持グリップ側へ回動作動可能とするよう常時弾性的付勢力を発揮する弾発体を設け、さらに操作部における可動レバーの所定範囲以上の回動作動によってＯＮ作動するようにした起動スイッチを設ける一方、同消火器本体の内部中空部適所には、吸気口および送風管路を有し、送風ファンを配してなる送風室を設けた上、送風管路の送出側をノズルホースに接続すると共に、送風室外の消火器本体内部箇所には、前記起動スイッチがＯＮ作動したときにだけ送風ファンの駆動用モータに駆動電流を供給し得る通電回路に組み込まれてなる電源部を配してなるものとしたことを特徴とする訓練用消火器。
【請求項３】
一般的な消火器外観に似せて略円柱状タンク型とした消火器本体の内部中空部適所には、吸気口および送風管路を有し、送風ファンを配してなる送風室と、それと区画された備品収容室とを形成すると共に、同消火器本体の上端外部には、略水平状に適宜長さ突設してなる保持グリップと、該保持グリップ基端側に軸着され、同保持グリップ間に所定の弾性的付勢力を付与した弾発体が介在されて保持グリップ側への回動作動が所定握力以上の外力によるものに制御され、且つ同回動作動はロック機構の解除時のみに規制されるようにした可動レバーとからなる操作部を組み込んだ上、該操作部における可動レバーの所定範囲以上の回動作動によってＯＮ作動するようにした起動スイッチを、送風室内の送風ファンと送風室外適所に配した電源部とを結ぶ通電回路内に配する一方、送風室の送風管路における送出側にはノズルホースを接続してなるものとしたことを特徴とする訓練用消火器。
【請求項４】
ノズルホースが、そのノズル内に、圧送風を受けて音響を発生する笛体等、噴出音発生機構を組み込んでなるものとした、請求項１ないし３何れか記載の訓練用消火器。
【請求項５】
ノズルホースが、そのノズル内に、圧送風の風圧によって延伸状に展開されてノズル先端から適宜長さ分だけ延伸、露出状となり、送風が止まると自動的に収縮、格納されるようにした噴出表示機構を組み込んでなるものとした、請求項１ないし３何れか記載の訓練用消火器。
【請求項６】
ノズルホースが、そのノズル内に、圧送風を受けて音響を発生する笛体等の噴出音発生機構、および／または圧送風の風圧によって延伸状に展開されてノズル先端から適宜長さ分だけ延伸、露出状となり、送風が止まると自動的に収縮、格納されるようにした噴出表示機構を組み込んでなるものとした、請求項１ないし３何れか記載の訓練用消火器。
【請求項７】
ノズルホースが、送風室からの圧送風上流側となるノズル内奥部側に、圧送風を通過可能であって所定直径の球体弁は通過させない通気性隔壁部を設けると共に、同圧送風下流側で、前記通気性隔壁部から球体弁直径以上の間隔を置いたノズル内先端側に、ノズル先端側に向けて傾斜または彎曲させた形状で、その左右中央辺りには先端方向に陥没状となり、その底面中央辺りに球体弁直径よりも小さな円形弁座口を開口した弁座壁を設けてなるものとし、前記通気性隔壁と弁座壁との間に形成された区画室内に、所定直径の球体弁を転動自在に封入した、請求項１ないし６何れか記載の訓練用消火器。
【発明の詳細な説明】
【０００１】
【発明の目的】
この発明は、消火訓練における器具の使い方を習熟するための消火器に関するものであって、炎が燃え上がる現場に遭遇した緊急時に、慌てふためいて消化器の操作ができずに初期消火に失敗したり、操作を過って自らが怪我をしてしまうことがないよう、消防署等の指導で実施される消火訓練の一つとしての消火器の取扱い訓練が、実際の消化器を使用しての訓練に相当するようにして繰り返し多数の人々によって実施し得るようにする新規な構造からなる訓練用消火器を提供しようとするものである。
【０００２】
【従来の技術】
火災発生の際の初期消火は、火事による被害を最小限に留める上で極めて有効であり、家庭にも広く普及している消火器を使って延焼する前の段階で完全に消火してしまうのが非常に重要であるとされているが、実情では、大多数の人々が一度も消火器に触れたことがなく、したがって、多くの人は、燃え盛る炎を前にして混乱してしまい、目標となる炎に適正な距離まで近づくこともできないまま消化剤を噴射させてしまい、消化剤が火炎の一部にしか届かず完全な消火に失敗したり、あるいは、平静さを失っていて消火器の操作ができずに火災を進行させてしまうという残念な例が後を絶たない上、消火の用をなさないだけではなく、取扱いを間違ってしまって自らが怪我を負ってしまう等といった不幸な事態まで報告されている。
【０００３】
このような突発的な消火活動の際に冷静な対応ができるよう、地域を管轄する消防署毎の指導等による消火訓練が広く行われているが、一般的な訓練用の消火器は、充填されている消化剤を使いきってしまうと、新たに消化剤を充填した消火器を準備しなければならず、その充填補充に時間を必要とする上、消化剤に要する経費等の問題も加わって、訓練に集まった多数の訓練者の全てが消火器を使っての消火訓練を体験できる訳ではなく、代表者が消火器を使っている状況を注意深く見学して実際の消火活動に活かせるようにしているというのが実情となってしまっており、火災という緊急事態に置かれた人の心理や行動内容を考慮した場合、全ての人が一度は消火器を手にして実践的な訓練をしておくようにするというのが最も望ましい。
【０００４】
こうした問題を対処する技術として、例えば特許２６９９１６７号公報に開示された「模擬消火訓練装置」発明のように、火炎が燃え上がる状態から鎮火する状態までの風景を再現表示可能であって、燃え盛る火炎を表示させた状態で超音波を受信すると次第に消火されて鎮火へ向かう状態を表示するようにした模擬火炎装置に、超音波を発信可能な消火器ノズルを向けて消火活動を行い、実践的な火災訓練に近い体験なし得るようにした提案がなされているものの、この模擬火炎装置が比較的大型で火災訓練場所への運搬に手間が掛かる上、装置自体が高額なものとなって普及に手間取ってしまうというような欠点を有している。
【０００５】
また、実開平７−３４８５３号公報の「消火器訓練装置」や、実開平５−１５９６６号の「消火訓練用消火器」等として開示されている考案のように、消火器本体の壁面に設けた注入口を通じ、消火器本体内に適宜着色した水等の液体と圧縮空気とを充填して、スプレー状または霧吹き状に噴射できるようにした訓練用の消火器等も各種開発、提案されているが、何れの消火器も多数の訓練者が連続的に訓練を行おうとすると、比較的初期の訓練段階に内圧が低下してしまい、消火器のレバー操作に必要な握力の体験や正しい消火姿勢の習得、および実際の消火器のような激しい噴出作動の体験等、実践的な訓練目的を達成することが難しいものとなってまっていた。
【０００６】
この発明は、以上のようにこれまでに提案済みとなっている各種模擬消火訓練装置や訓練用消火器等が、経費が嵩むだけではなく、その準備にも多大な労力を要する上、必ずしも実践的な訓練にまで繋がっていないという実情に対処すべく、逸速くその開発、研究に着手し、長期に渡る試行錯誤と幾多の試作、実験とを繰り返してきた結果、今回、遂に新規な構造からなる訓練用消火器を実現可能とすることに成功したものであり、以下では、図面に示すこの発明を代表する実施例と共に、その構成を詳述することとする。
【０００７】
【発明の構成】
図面に示す代表的な実施例からも明確に理解されるように、この発明の訓練用消火器は、基本的に次のような構成から成り立っている。
即ち、一般的な消火器外観に似せて略円柱状タンク型とした消火器本体の内部中空部適所には、吸気口および送風管路を有し、送風ファンを配してなる送風室を形成すると共に、同消火器本体の上端外部には、略水平状に適宜長さ突設してなる保持グリップと、該保持グリップ基端側に軸着され、同保持グリップ間に所定の弾性的付勢力を付与した弾発体が介在されて保持グリップ側への回動作動が所定握力以上の外力によるものに制御され、且つ同回動作動はロック機構の解除時のみに規制されるようにした可動レバーとからなる操作部を組み込んだ上、該操作部における可動レバーの所定範囲以上の回動作動によってＯＮ作動するようにした起動スイッチを、送風室内の送風ファンと送風室外適所に配した電源部とを結ぶ通電回路内に配する一方、送風室の送風管路における送出側にはノズルホースを接続するようにしてなる構成を要旨とする訓練用消火器である。
【０００８】
この基本的な構成からなる訓練用消火器を、表現を変えて示せば、一般的な消火器外観に似せて略円柱状タンク型とした消火器本体の上端外部には、略水平状に適宜長さ突設した保持グリップと、該保持グリップ側への回動作動が可能となるようにして保持グリップ基端側に軸着された可動レバーとから操作部を形成した上、該操作部には、脱抜操作時以外には可動レバーを回動作動不能にするようにした安全ピンからなるロック機構を設けると共に、それら可動レバーと保持グリップとの間に、所定握力以上の外力を受けたときだけ可動レバーを保持グリップ側へ回動作動可能とするよう常時弾性的付勢力を発揮する弾発体を設け、さらに操作部における可動レバーの所定範囲以上の回動作動によってＯＮ作動するようにした起動スイッチを設ける一方、同消火器本体の内部中空部適所には、吸気口および送風管路を有し、送風ファンを配してなる送風室を設けた上、送風管路の送出側をノズルホースに接続すると共に、送風室外の消火器本体内部箇所には、前記起動スイッチがＯＮ作動したときにだけ送風ファンの駆動用モータに駆動電流を供給し得る通電回路に組み込まれてなる電源部を配してなるものとした訓練用消火器であるということができる。
【０００９】
そして、上記基本的な構成のこの発明の訓練用消火器を、より具体的な構成のものとして示すと、一般的な消火器外観に似せて略円柱状タンク型とした消火器本体の内部中空部適所には、吸気口および送風管路を有し、送風ファンを配してなる送風室と、それと区画された備品収容室とを形成すると共に、同消火器本体の上端外部には、略水平状に適宜長さ突設してなる保持グリップと、該保持グリップ基端側に軸着され、同保持グリップ間に所定の弾性的付勢力を付与した弾発体が介在されて保持グリップ側への回動作動が所定握力以上の外力によるものに制御され、且つ同回動作動はロック機構の解除時のみに規制されるようにした可動レバーとからなる操作部を組み込んだ上、該操作部における可動レバーの所定範囲以上の回動作動によってＯＮ作動するようにした起動スイッチを、送風室内の送風ファンと送風室外適所に配した電源部とを結ぶ通電回路内に配する一方、送風室の送風管路における送出側にはノズルホースを接続してなる構成からなる訓練用消火器となる。
【００１０】
消火器本体は、一般的な消火器外観を呈するようなものとし、その内部中空部には消火薬剤の替わりに送風ファンを内蔵する送風室や、これに連続する送風管路および電源部や通電回路等を内蔵可能することにより、訓練者が恰も実際の消化器を取扱っているような体験をし得るようにする機能を果たすものであり、したがって、本体重量も、消火薬剤を充填した実際の消化器に近い値のものになるように設定したものとすべきであり、また、後述する送風ファンや電源部の修理や交換等のメンテナンスを可能とする開閉蓋を設けたものとするのが望ましく、さらに、前記送風室や電源部等を収容して残された内部空間を備品等を収容可能な扉付きの備品収容室に形成したものとすることが可能である。
【００１１】
送風管路は、消火器本体に開口された吸気口から送風ファンを収容した送風室を連続させ、該送風室から圧送される空気をノズルホース側へ密閉状に案内する機能を果たすものであり、吸気口からノズルホースまでを漏れ出すことのない構造の管路とするよう連続するものとしなければならず、流通する気流が円滑に送風できるよう、吸気口を含む吸気側の管路断面形状はできるだけ大きく設定するようにするのが望ましい。
【００１２】
吸気口は、送風ファンがノズルホースヘ向けて圧送する空気を消火器本体外から送風室内に吸い込み可能とする機能を果たすものであり、送風ファンに過大な負荷を与えずに、充分な量の空気を吸引可能な程度の開口面積を確保できるものとしなければならず、消火器本体周壁面の一部または所定幅全周に開口されたものとするのが望ましく、開口部もしくは、その内側に異物の吸引を阻止可能とするフィルターや網等を適宜設置したものとすることができる。
【００１３】
送風ファンは、操作部の起動スイッチがＯＮ操作されたときに、吸気口から消火器本体外の空気を取り込んで、ノズルホース側に向けて圧送する機能を発揮するものであり、連続的な使用に耐えて大勢の人々が続けざまに消火訓練を行っても簡単に故障してしまうことがないようにした耐久強度を有するものとなし、起動スイッチがＯＦＦ操作されたときには停止して空気の圧送を自動的に停止するものとしなければならず、空気を所定の同等圧力で圧送可能な各種圧縮ポンプやコンプレッサー等に置き換えることも可能である。
【００１４】
送風室は、吸気口から吸引され送風ファンによってノズルホース側へ圧送される空気を円滑に案内する機能を果たすものであって、送風ファンの送風能力に相応した容積および形状に設定されたものとしなければならず、その流路断面形状が吸気口側からノズルホース側に向かうに従い、次第に縮小して送出側に向かう程圧送空気の圧力を漸次高めて行くよう形成すべきであって、空気抵抗を発生するような室内側への突起や段差状の内壁形状を避けて、円滑な気流の発生を促進する室内形状とするのが望ましい。
【００１５】
備品収容室は、送風管路および送風室等とは分離された消火器本体の内部中空部であって、軍手や電源部に好適に使用可能な予備バッテリー等の備品を収容可能となるようにする機能を果たすものとして必要に応じて採用すれば足りるものであり、消火器本体の送風ファンが内蔵された上部を捩子込みキャップ状に分離可能とした消火器本体下部を有底円筒状の収容室に形成したものとすることができる外、消火器本体の上部と有底円筒状の消火器本体下部との、互いの接合縁の一部に開閉用ヒンジを設けて開閉可能に連結し、このヒンジとは反対側となる接合縁部には、閉鎖状態にロック可能なバックル機構を設けて、必要に応じてバックル機構を操作し、有底円筒状の収容室を開閉できるよう形成したものとすることができる。
【００１６】
操作部は、一般的な消火器の操作部と同様の外観を呈するようにすべきものであり、消火器本体内に消火薬剤を収容していない当該訓練用消火器であっても、握持操作したときの操作握力を消化剤を噴出する消火器と略同等のものとなるようにする機能を果たすものであり、一般消火器と同様または酷似した保持グリップとロック機構を有する可動レバーとを設け、弾発体を有して可動レバーの操作握力を所定値に設定可能とし、さらに送風ファンを起動可能な起動スイッチを内蔵したものとしなければならず、一般的な消火器と同様の素材から形成するのが望ましい。
【００１７】
保持グリップは、訓練用消火器の消火器本体を操作する人が保持できるようにする機能と共に、可動レバーを近接する方向に回動操作可能に軸着するための基部としても機能するものであり、消火薬剤を収容した消火器の可動レバーを握持操作した際の操作握力と略同等の弾発力を発生する弾発体を可動レバーとの間に設けたものとし、さらに保持グリップに対して可動レバーを近接させて消火剤を噴出するよう操作したときにＯＮ操作可能な起動スイッチを設けたものとしなければならず、略水平状に延伸した形状とし、消火器本体を保持可能な強度に設定したものとすべきである。
【００１８】
弾発体は、保持グリップと可動レバーとの間にあって、消火薬剤を収容した消火器の可動レバーを握持操作して消化剤を噴出する際の操作握力と略同等の弾発力を発揮する機能を果たすものであり、コイルスプリングや板バネ等の各種スプリングやピストンを有するシリンダー内に圧縮可能な気体を封入したもの、あるいは弾性合成樹脂材を用いたものとすることができる。
【００１９】
ロック機構は、不用意な可動レバーの作動を阻止して、不要な消火器の作動を防止する機能を果たすものであり、可動レバー等の操作部やその付近に設けられた押し込み型のボタンや、引き抜き型の安全栓、レバー型の安全レバー等とすることが可能であり、多数の人々が連続的にロック解除の操作ができるよう復元機能をもつものとしなければならず、緊急の消火作業中にも容易に気付くことができるよう目立つ色や形状の操作部を設けたものとすべきであって、一般的な消火器に設けられたロック機構に準ずる外観とするのが望ましい。
【００２０】
可動レバーは、保持グリップと対をなして操作部の一部を形成し、保持グリップに近接するよう握持して揺動状に操作することにより、起動スイッチをＯＮ操作すると共に、握力を解除すると弾発体によって元の姿勢を復元して起動スイッチをＯＦＦ操作する機能を果たすものであり、握持操作に耐えるに充分な強度を有するものとして、一般的な消火器の可動レバーと同様の形状、素材で形成したものとすべきである。
【００２１】
起動スイッチは、操作部の保持グリップと可動レバーとの間にあって、可動レバーを保持グリップに近接するよう揺動操作した際に送風ファンに電源部からの電流を供給し、また、握力を除去して可動レバーが元の位置に復元されたときに、電源部からの電流の供給を停止するという機能を果たすものであり、可動レバーの揺動移動に連動する構造としなければならず、各種スイッチ機構や圧電スイッチ素子等を使用するのが望ましい。
【００２２】
電源部は、起動スイッチがＯＮ操作を受けたときに電力を供給して送風ファンを起動する機能を果たすものであり、起動スイッチがＯＮ操作されている間に渡って送風ファンに所定電圧の電流を安定供給するものとし、起動スイッチをＯＦＦ操作したときには直ちに電流の供給を停止することができるバッテリーを交換可能な状態に搭載したものとするのが望ましく、充電機能を持たせたものとすることができる外、バッテリーの外に電源用の延長コードを延伸可能に収容し、必要に応じてプラグをコンセントに接続して業務用電源、家庭用電源あるいは発電機等に適宜接続して外部電源を使用できるようにすることが可能である。
【００２３】
通電回路は、電源部、送風ファンおよび起動スイッチを接続してスイッチング用の電気回路を形成する機能を果たすものであり、送風ファンが起動する際に流れる電流に耐える強度を有するものとしなければならず、電線コード、配線基盤あるいは変形可能なフレキシブル基盤等から形成することが可能である。
【００２４】
ノズルホースは、消火器本体の送風管路噴出側から送出される圧縮空気を軟質且つ変形自在なホースで導き、仮想火炎にノズルを向けて消火作業を行う訓練を可能とする機能を果たすものであり、基本的な外観的形状および寸法を一般的な消火器のホースと略同様のものとしなければならず、そのノズル内に、圧送風を受けて音響を発生する噴出音発生機構を組み込んだものとしたり、ノズル内に、圧送風の風圧によって延伸状に展開されてノズル先端から適宜長さ分だけ延伸、露出状となり、送風が止まると自動的に収縮、格納されるようにした噴出表示機構を組み込んだものとすることが可能であり、さらにまた、ノズル内に、圧送風を受けて音響を発生する笛体等の噴出音発生機構、および／または圧送風の風圧によって延伸状に展開されてノズル先端から適宜長さ分だけ延伸、露出状となり、送風が止まると自動的に収縮、格納されるようにした噴出表示機構を組み込んでなるものとすることができる。
【００２５】
さらにノズルホースは、送風室からの圧送風上流側となるノズル内奥部側に、圧送風を通過可能であって所定直径の球体弁を通過させない通気性隔壁部を設けると共に、同圧送風下流側で、前記通気性隔壁部から球体弁直径以上の間隔を置いたノズル内先端側に、ノズル先端側に向けて傾斜または彎曲させた形状で、その左右中央辺りには先端方向に陥没状となり、その底面中央辺りに球体弁直径よりも小さな円形弁座口を開口した弁座壁を設けてなるものとし、前記通気性隔壁と弁座壁との間に形成された区画室内に、所定直径の球体弁を転動移動自在に封入したものとすることができる。
【００２６】
噴出音発生機構は、ノズルホースから圧縮された空気が噴出されたときに、その噴出する空気の流通を受けて特有の音声を発生し、消火訓練を行う者およびその周辺の人々にノズルホースが噴出状態に操作されたことを認識させるようにする機能を果たすものであり、騒音にならない程度の笛音を発生させる構造とするのが望ましい。
【００２７】
噴出表示機構は、ノズルホースから圧縮された空気が噴出されたときに、その噴出する空気の風圧によってノズル噴出口から外部に延伸するように展開されて訓練を行っている者と、その周辺で見学している人々に、ノズルホースから空気が噴出されていることを認識できるようにして、消化剤が噴射されている状態を模擬的に体験できるようにする機能を果たすものであり、バネ材や弾性合成樹脂材等からなり、発条形に収縮しており、風圧を受けてノズル部先端から露出する状態に延伸状に展開される構造や、天然ゴムや合成ゴム等からなり縮れ状に縮小していて風圧を受けるとノズル部先端から露出するよう延伸状となるものとすることができる外、比較的軟質な繊維材や布帯等、通常は垂れ下がり状に吊着されており、空気が噴出されたときにはその噴射力に靡いて空気が噴出されていることを視覚的に認識可能な構造としたものとすることが可能である。
以下、図面に示すこの発明を代表する実施例と共に、この発明に係わる訓練用消火器の構成がより明確なものとなるよう詳述していくこととする。
【００２８】
【実施例】
図１の訓練用消火器の要部構造を断面化した側面図、図２のノズル構造の断面図、および図３の噴出状態にあるノズルの断面図に示される事例は、消火器本体の上部に鉛直状の回転軸を有する送風ファンを内蔵し、ロック機構を解除し可動レバーを適正に操作したときに、ノズルホースに向けて圧縮空気を送出し、ノズル部を略水平状の保持して消火に好適な姿勢となったときに、該ホースノズル先端から圧縮空気が噴出され、訓練者およびその周囲で見学している人々に、消化剤が噴出されている状態であることを聴覚的および視覚的に認識可能とするよう形成した基本的構成からなるこの発明に包含される訓練用消火器における代表的な一実施例を示すものである。
【００２９】
この実施例の訓練用消火器は、一般的な金属製の消火器と同様に、上端部が球面状に絞られた有底円筒状に形成された消火器本体１の上端部にノズルホース３の基端を接続した操作部２を取着金具２１を介して取り付けたものとなっており、該消火器本体１の内部中空部が水平な隔壁１１を設けることによって上部側内部と、その下側全体の円筒状内部とに分割され、隔壁１１上には消火器本体１周壁面に吸気口４１を開口し、該吸気口４１に連通した円錐型の送風室４２内部に送風ファン４３を設け、送風室４２の送出側が操作部２取着金具２１内を通じてノズルホース３に接続された送風管路４を設けたものとしている。
【００３０】
操作部２は、取着金具２１上に略水平状に延伸された状態に固着した保持グリップ２２と、この保持グリップ２２の基端側に、水平軸心回りに回動操作可能とするよう可動レバー２３を軸着したものとし、該可動レバー２３の上部から安全栓２４の先端側を、保持グリップ２２に達するよう脱抜可能に貫通して、可動レバー２３の誤動作を阻止する図示しないブロックを、保持グリップ２２と可動レバー２３との間に仮止め状に保持してなるロック機構（２４）を設け、また、保持グリップ２２と可動レバー２３の軸着部近傍には、一般的な消火器を操作する際に必要とされる所定握力を受けたときに圧縮させることが可能となる強度に設定したコイルスプリングからなる弾発体２５を設けている。
【００３１】
消火器本体１の内部中空部上側の送風室４２に隣接する空間部内には、バッテリーからなる電源部５１が着脱交換可能に装着され、該電源部５１が、送風ファン４３の駆動用モータに繋がる通電回路５を介して、該保持グリップ２２と可動レバー２３との間の軸着部近傍適所に設置された起動スイッチ５２に接続されたものとなっており、可動レバー２３を保持グリップ２２に近接するよう握持操作したときに起動スイッチ５２がＯＮ操作され、電源部５１から送風ファン４３に電流が供給され、握力を解除して可動レバー２３が保持グリップ２２から離れたときに同起動スイッチ５２がＯＦＦ操作されて、電源部５１からの電流供給が断たれるものとなっている。そして、消火器本体１の隔壁１１によって仕切られた内部中空部下側の円筒形状空間部分には図示しない扉またはキャップ型の開閉機構を有する備品収納室１２を設けてある。
【００３２】
ノズルホース３は、補強用繊維等を積層状に一体成型した耐圧ゴムホースから形成され、その先端側中途部を消火器本体１の外周壁に設けられた止め金具１３に着脱自在に接続し、ノズルホース３先端部に設けられた硬質合成樹脂製のノズル部３１内のノズル管路基端側に、金網製、あるいは、図２に示すように、後述する球体弁３３よりも小さな一個の開口を中央もしくは複数の開口を略全面に開口した通気性隔壁部３２と、該通気性隔壁部３２から球体弁３３の直径を越える寸法分、圧送風下流側に配置された上、ノズル中央先端側に向けて漏斗状に傾斜され、その先端部に錐状台形の陥没状となり、その底面中央辺りに球体弁３３の直径よりも小さな円形弁座口３５を開口した弁座壁３４とを設けてある。
【００３３】
そして、該円形弁座口３５の開口上流側縁部には、図示しない天然ゴムあるいは軟質合成樹脂からなるＯリング状の弁座縁部を設けたものとし、前記通気性隔壁部３２と弁座壁３４との間に形成された区画室３６内に、通気性を持たない金属製あるいは硬質合成樹脂製であって、通気性隔壁部３２の開口および円形弁座口３５よりも大きな直径に設定された球弁体３３を転動移動自在に封入したものとした上、該円形弁座口３５の噴出側外周縁部に同心筒状の取着管６を固着し、該取着管６の内周壁面適所に適宜寸法に形成された笛体からなる噴出音発生機構７を設けた上、同取着管６の先端縁部には比較的軟質なバネ鋼製帯状材を渦巻状に成型して、風圧を受けて展開状に延伸されてノズル部３１の先端側から露出する渦巻バネ製の噴出表示機構８を設けたものとしている。
【００３４】
噴出表示機構８は、取着管６の先端縁部に取着された渦巻バネ状ワイヤーに、ノズル部３１から噴出される空気を受けて膨脹するようにした、図示しない空気袋を被着してなるものとすることも可能であり、空気の噴出が停止されたときに、渦巻バネ状ワイヤーの縮小復元力を受けてノズル部３１内に収納状となるよう形成したものとし、さらに該空気袋に視認性を高める着色を施したものとすることができる。
【００３５】
【作用】
以上のとおりの構成からなるこの発明の訓練用消火器は、消火訓練を行う際に、消火の目標となる火炎を模した絵や模型等に向けて消火器を噴射することとなり、先ず安全栓（ロック機構）２４を可動レバー２３から、図１中の鎖線矢印に示す方向に引き抜いて、保持グリップ２２と可動レバー２３との間に固定されていた図示しないブロックを離脱させてロック機構を解除させると共に、消火器本体１止め金具１３からノズルホース３を取り外し、ノズル部３１を確り保持して火炎を模した消火目標に向けた上、保持グリップ２２と可動レバー２３とを近接するよう、図１中に鎖線矢印で示すように握持操作すれば、コイルスプリング（弾発体）２５が、実際の消火器同様に消火剤を噴出するときと略同程度の反発力を発揮することとなる。
【００３６】
コイルスプリング（弾発体）２５の反発力に抗して握持操作すると、可動レバー２３が保持グリップ２２に近接されて起動スイッチ５２がＯＮ操作され、電源部５１からの電流が通電回路５を通じて送風ファン４３の駆動用モータを回転駆動して送風管路４内の空気を圧送し、図１中に鎖線矢印で示すように、吸気口４１から吸引した空気を送風室４２に連続的に取り込み、ノズルホース３に向けて圧縮空気を圧送することとなり、ノズルホース３の基端側に送り込まれた圧縮空気は、同ノズルホース３内の管路を通じて先端側のノズル部３１基端側に、図２中に示す鎖線矢印で示すとおり、通気性隔壁部３２を通じて噴出側へ送り込まれる。
【００３７】
圧送空気がノズル部３１に達したとき、該ノズル部３１の姿勢が、火炎に向けられておらずに下向き姿勢のままの場合には、図２中に示されるように、球体弁３３が重力と風圧とによって弁座壁３４に陥没状に形成された円形弁座口３５に落ち込み、嵌合状となって閉鎖して噴出を停止された状態となり、正確な消火作業が行われていないことを認識可能とするものとなる。
【００３８】
一旦保持グリップ２２と可動レバー２３との握持操作を解除し、起動スイッチ５２をＯＦＦ操作して送風ファン４３を停止させてノズルホース３内の圧力を減衰させ、ノズル部３１を略水平状に支持して目標火炎に向けると、円形弁座口３５を閉鎖していた球体弁３３が、図３に示すように、自重によって落下し、再度保持グリップ２２に可動レバー２３を近接するようコイルスプリング（弾発体）２５に抗して握持操作すると、同図中鎖線矢印に示すように、送風ファン４３が起動してノズル部３１に圧縮空気が供給され、通気性隔壁部３２および弁座壁３４円形弁座口３５を通じて噴出し、該円形弁座口３５の先端に配された噴出音発生機構７ならびに噴出表示機構８に吹き付け、噴出音発生機構７の笛体が音響を発すると共に、噴出表示機構８の渦巻形状が展開されてノズル部３１先端側から外側に露出状に延伸状となり聴覚的、視覚的に消火薬剤が噴出される状態に操作されたことを認識可能となる。
【００３９】
消火作業を終えて保持グリップ２２および可動レバー２３を把持する握力を解除すると、起動スイッチ５２がＯＦＦ操作されて送風ファン４３が停止して空気の圧送が停止され、噴出音発生機構７の笛体の音響が停止すると共に、噴出表示機構８が渦巻状に復元してノズル部３１内側に縮小し、収納状となって外部からは認識できない状態となり、ノズルホース３を止め金具１３に戻せば、同様の消火訓練を連続して行うことが可能な状態となり、多数の訓練者が全く同様の消火操作を連続的に繰り返して行うことが可能である。
【００４０】
【効果】
以上のとおり、この発明の訓練用消火器によれば、従前までの大掛かりな模擬消火訓練装置や薬剤の詰め替えを必要とする訓練用の消火器では、準備に多大な経費と労力とを必要とする上、火災訓練に参加した多数の訓練者の全員が実際に消火器を手にして消火作業を行うことは不可能であったが、電源部を備えた送風ファンを内蔵したことにより、ノズルホースからの噴出圧力を安定的に確保して多数の参加者が連続的に訓練を行うことを可能とし、しかも、弾発体による反発力が可動レバーの操作に必要となる握力を再現して、より実践的な訓練を低価格にて手軽に体験することができるという秀れた特徴が得られるものである。
【００４１】
特に、実施例に取り上げた訓練用消火器は、上記した特徴に加え、ノズル部３１に形成された区画室３６内の球体弁３３が、ノズル部３１の噴出口側が下向き姿勢となって消火に適さない状態の場合に、弁座壁３４円形弁座口３５を閉鎖し、仮令可動レバー２３を充分な握力で操作した場合であっても、圧縮空気の噴出を停止し、正確な消火作業が行われていないことを認識可能とし、ノズル部３１を火炎に向けて略水平状としたときに、球体弁３３による円形弁座口３５の閉鎖が解除されて、ノズル部３１から圧縮空気が噴射され、弁座壁３４の先端側に設けられた噴出音発生機構７の笛体が、噴出する空気を受けて音響を発生すると共に、噴出表示機構８が風圧によって展開状に延伸されてノズル部３１の先端側に露出状となるので、訓練者やその周囲で見学する人々が共に、正確な消火作業が行われていることを認識することができ、しかも一人の訓練が終了すれば、安全栓２４を装着して直ちに次の訓練者が全く同じ条件で訓練を再開することができるので、多数の参加者が洩れなく最適な条件の下で消火器訓練を行うことができるようになるという大きな効果を発揮できるものとなる。
【００４２】
叙述の如く、この発明の訓練用消火器は、その新規な構成によって所期の目的を遍く達成可能とするものであり、しかも製造も容易で、従前からの薬剤充填型の訓練用消火器の使用に比較して遥かに経済的なものとすることができる上、電源部の電圧を適正に管理しさえすれば、多数の参加者による連続使用に際しても常に安定した作動が得られ、メンテナンスの作業効率自体も格段に高めることができ、しかも消火訓練に要する経費を大幅に削減することができ、多数の参加者全員が、より実践的な訓練を低予算で体験することができるようになり、一度の消火訓練で大きな効果を期待する災害訓練の主催者や、訓練の指導に当たる消防署および消火器具に関連する各業界において高く評価され、広範に渡って利用、普及していくものになると予想される。
【図面の簡単な説明】
図面は、この発明の訓練用消火器の技術的思想を具現化した代表的な実施例を示すものである。
【図１】訓練用消火器の要部構造を断面化して示す側面図である。
【図２】ノズル構造を断面化して示す側面図である。
【図３】噴出状態にあるノズルを断面化して示す側面図である。
【符号の説明】
１      消火器本体
１１    同  隔壁
１２    同  備品収納室
１３    同  止め金具
２      操作部
２１    同  取着金具
２２    同  保持グリップ
２３    同  可動レバー
２４    同  安全栓（ロック機構）
２５    同  コイルスプリング（弾発体）
３      ノズルホース
３１    同  ノズル部
３２    同  通気性隔壁部
３３    同  球体弁
３４    同  弁座壁
３５    同  円形弁座口
３６    同  区画室
４      送風管路
４１    同  吸気口
４２    同  送風室
４３    同  送風ファン
５      通電回路
５１    同  電源部
５２    同  起動スイッチ
６      取着管
７      笛体（噴出音発生機構）
８      渦巻バネ（噴出表示機構）
【図１】
0003579663.tif 000002
【図２】
0003579663.tif 000003
【図３】
0003579663.tif 000004